(57)【特許請求の範囲】
【請求項１】
後端に後壁を有する磁性体の外ケースと、前記外ケース内に収納されボビンとコイルとを有する中空状のコイルアッシーと、固定鉄心と前記固定鉄心に対して接近離隔する可動鉄心とを有するとともに、前記コイルアッシーの前端面を支持し前記コイルアッシーを挿通するように配置されるチューブアッシーとを備えて構成され、
前記固定鉄心が、前記可動鉄心の後方に配置されるとともに、前記外ケース及び前記コイルアッシーより後方に突出するねじ部を有し、前記ねじ部にナットが螺着されてコイルアッシーとチューブアッシーとを固着するように構成されたソレノイドであって、
前記外ケースの後壁と前記ナットとの間に、軸心方向に弾性を有するカラーが配設され、
前記カラーが薄肉の円筒状に形成され、前記カラーの一方あるいは両方の端部が全周にわたって外開きするように形成されていることを特徴とするソレノイド。
【請求項２】
後端に後壁を有する磁性体の外ケースと、前記外ケース内に収納されボビンとコイルとを有する中空状のコイルアッシーと、固定鉄心と前記固定鉄心に対して接近離隔する可動鉄心とを有するとともに、前記コイルアッシーの前端面を支持し前記コイルアッシーを挿通するように配置されるチューブアッシーとを備えて構成され、
前記固定鉄心が、前記可動鉄心の後方に配置されるとともに、前記外ケース及び前記コイルアッシーより後方に突出するねじ部を有し、前記ねじ部にナットが螺着されてコイルアッシーとチューブアッシーとを固着するように構成されたソレノイドであって、
前記外ケースの後壁と前記ナットとの間に、軸心方向に弾性を有するカラーが配設され、
前記カラーが円筒状に形成され、前記カラーに円周方向に沿ってスリット状の孔が形成されていることを特徴とするソレノイド。
【発明の詳細な説明】
【０００１】
【発明の属する技術分野】
この発明は、固定鉄心と可動鉄心とを有し、コイルの励磁により可動鉄心が固定鉄心に吸着移動するソレノイドに関し、さらにコイルが収納されるコイルアッシーと、固定鉄心及び可動鉄心を有するチューブアッシーとを、ナットで固着するタイプのソレノイドに関する。
【０００２】
【従来の技術】
一般に、固定鉄心と可動鉄心を有し、可動鉄心が固定鉄心に対して接近離隔するように摺動して、例えば油圧弁のスプールを移動させるソレノイドにおいては、可動鉄心が固定鉄心に対して吸着する際、可動鉄心の可動ピンに接続されるスプールを押圧して移動するプッシュタイプものと、スプールを牽引して移動するプルタイプのものとが知られている。プッシュタイプのソレノイドは一般的に、可動鉄心が固定鉄心の後方に配置され、可動ピンが可動鉄心の吸着面側に配置されるとともに固定鉄心内を挿通してスプールに接続するように構成され、プルタイプのソレノイドは一般的に、固定鉄心が可動鉄心の後方に配置され、可動ピンが可動鉄心の吸着面と対する側に配置されてスプールに接続するように構成されている。そして、一般的にはプッシュタイプのソレノイドが広く使用されている。
【０００３】
従来の一般的なプッシュタイプのソレノイド２１は、図４に示すように、外ケース２３と、外ケース２３内に配置されるコイルアッシー２５及びヨーク２８と、コイルアッシー２５内に収納されるチューブアッシー２９とからなっている。外ケース２３は磁性体で断面略コ字形に形成され、後端面にチューブアッシー２９が挿通する孔２３ａが形成されている。
【０００４】
コイルアッシー２５は中空状のボビン２６とボビン２６に巻回されたコイル２７とからなり、中空状のボビン２６内にチューブアッシー２９が挿通される。
【０００５】
チューブアッシー２９は、固定鉄心３０と、固定鉄心３０に嵌合固着され、後端部にストッパ３６が溶接して固着されたパイプ３４と、パイプ３４内に摺動可能に配設される可動鉄心３２とを有している。固定鉄心３０は、弁体Ｂに取り付けるように形成され、弁体Ｂの図示しないスプールに接続する可動ピン３３を内部に挿通させている。パイプ３４に固着されたストッパ３６はコイルアッシー２５及び外ケース２３の後端面より突出して配置され、突出部の後端部に雄ねじ３６ａが形成され、ナット３７が螺合される。
【０００６】
このように構成されたチューブアッシー２９は、コイルアッシー２５の先端側から後方に向かって挿入される。そして、外ケース２３から突出したストッパ３６の雄ねじ部３６ａに、非磁性体で形成された筒状のカラー３８をストッパ３６の回りに配置した後、雄ねじ３６ａに螺着したナット３７でカラー３８を押圧することによって、チューブアッシー２９とコイルアッシー２５とを固着するようにしていた。そしてコイル２７の励磁によって、外ケース２３・ヨーク２８・固定鉄心３０・可動鉄心３２間に磁束が発生するため、可動鉄心３２が固定鉄心３０に吸着される。
【０００７】
【発明が解決しようとする課題】
しかし、コイルアッシー２５とチューブアッシー２９とをナット３７によって固着するタイプのソレノイドにおいては、ナット３７の締め付けが、剛体で形成されたカラー３８を介して伝達されるので、振動によってナット３７を緩みやすくする。特に、締付力が小さければ、ナット３７が使用中に緩み、ナット３７の緩みによりコイルアッシーの前後方向にガタが生じてコイルアッシーを損傷するおそれを生じさせ、また、締付力が大き過ぎると、締め付け時において雄ねじ３６ａあるいは外ケース２３を損傷させるおそれを生じさせる。
【０００８】
この発明は、上述の課題を解決するものであり、コイルアッシーとチューブアッシーとを固着するナットの緩みを防止できるソレノイドを提供することを目的とする。
【０００９】
【課題を解決するための手段】
この発明にかかわるソレノイドでは、上記の課題を解決するために以下のように構成するものである。即ち、
後端に後壁を有する磁性体の外ケースと、前記外ケース内に収納されボビンとコイルとを有する中空状のコイルアッシーと、固定鉄心と前記固定鉄心に対して接近離隔する可動鉄心とを有するとともに、前記コイルアッシーの前端面を支持し前記コイルアッシーを挿通するように配置されるチューブアッシーとを備えて構成され、
前記固定鉄心が、前記可動鉄心の後方に配置されるとともに、前記外ケース及び前記コイルアッシーより後方に突出するねじ部を有し、前記ねじ部にナットが螺着されてコイルアッシーとチューブアッシーとを固着するように構成されたソレノイドであって、
前記外ケースの後壁と前記ナットとの間に、軸心方向に弾性を有するカラーが配設され、
前記カラーが薄肉の円筒状に形成され、前記カラーの一方あるいは両方の端部が全周に渡って外開きするように形成されていることを特徴とするものである。
【００１０】
また、本発明のソレノイドは、後端に後壁を有する磁性体の外ケースと、前記外ケース内に収納されボビンとコイルとを有する中空状のコイルアッシーと、固定鉄心と前記固定鉄心に対して接近離隔する可動鉄心とを有するとともに、前記コイルアッシーの前端面を支持し前記コイルアッシーを挿通するように配置されるチューブアッシーとを備えて構成され、
前記固定鉄心が、前記可動鉄心の後方に配置されるとともに、前記外ケース及び前記コイルアッシーより後方に突出するねじ部を有し、前記ねじ部にナットが螺着されてコイルアッシーとチューブアッシーとを固着するように構成されたソレノイドであって、
前記外ケースの後壁と前記ナットとの間に、軸心方向に弾性を有するカラーが配設され、
前記カラーが円筒状に形成され、前記カラーに円周方向に沿ってスリット状の孔が形成されていることを特徴とするものである。
【００１２】
【発明の実施の形態】
以下、この発明の一実施の形態を図面に基づいて説明する。
【００１３】
本形態のソレノイド１は、図１に示すように、外ケース３と外ケース３内に収納される中空状のコイルアッシー５とコイルアッシー５内に挿通されるチューブアッシー９と、外ケース３の後端部とコイルアッシー５の後端面との間に配置されるヨーク８とを有し、コイルアッシー５とチューブアッシー９とを外ケース３の後端部で圧接するように、弾性を有するカラー２０を介してナット１９によって固着されている。
【００１４】
外ケース３は磁性体で形成され、先端（図１中下方）が開口され後端（図１中上方）にチューブアッシー９を挿通するための孔３ａを有する後壁３ｂが形成されている。
【００１５】
コイルアッシー５は、中空状に形成されるボビン６とボビン６に巻回されるコイル７とからなり、ボビン６内にチューブアッシー９が挿入される。ボビン６は外ケース３内に収納されるとともに、前後両端にコイル７を収納するコイル収納壁６ａ・６ｂが形成され、後方のコイル収納壁６ｂの後端面にヨーク８が当接し、さらにその後端面に外ケース３の後壁３ｂが当接するように配置される。
【００１６】
チューブアッシー９は、固定鉄心１０と、固定鉄心１０に嵌合固着され、後端部にストッパ１６が溶接して固着されたパイプ１４と、パイプ１４内に摺動可能に配設される可動鉄心１２とを有して一体的に構成されている。
【００１７】
固定鉄心１０は、弁体Ｂに取り付けられ雄ねじ１０ａが形成される取付部１０ｂと、ボビン６のコイル収納壁６ａを前端側から圧接するように形成されるフランジ部１０ｃとを有してボビン６の先端側に配置される。また、固定鉄心１０には、弁体Ｂの図示しないスプールに接続する可動ピン１３を内部に摺動可能に挿通させている。パイプ１４は、非磁性体で形成され、一端が固定鉄心１０の後端部に嵌合固着され、内部に可動鉄心１２を摺動可能に配置して、他端をストッパ１６で溶接にて固着して、後面を閉口している。可動鉄心１２は、先端面に可動ピン１３に当接するように接続されパイプ１４内を摺動し、ストッパ１６はコイルアッシー５及び外ケース３の後端面より突出して配置され、突出部の後端部に雄ねじ１６ａが形成され、ナット１９が螺合される。ナット１９と外ケース３の後壁３ｂとの間には弾性状に形成されたカラー２０が配置されている。
【００１８】
カラー２０は、図２に示すように、筒状の薄肉のパイプをその両端部２０ａが全周にわたって、外開きするように屈曲して形成され、外ケース３の後壁３ｂの後方に配置され、カラー２０をはさむようにナット１９がストッパ１６に螺着されて配置されている。カラー２０の両端部２０ａは、軸方向内方に圧力がかかると弾性を有して外方に撓むように形成されているため、ナット１９を締め込むとねじの緩み止めとしての役割を果たすことになる。
【００１９】
なお、上記形態におけるカラー２０は、両端が外開きするように屈曲して形成されているが、いずれか一方の端部が外開きするように屈曲して形成されていても同様の役割を果たすため構わない。
【００２０】
そして、ストッパ１６の雄ねじ１６ａには市販のナット１９（磁性体）が螺着され、ナット１９をカラー２０を介して締め込むことによって、コイルアッシー５とチューブアッシー９が固着される。
【００２１】
ソレノイド１は、上記のように構成されたコイルアッシー５を外ケース３の前方側から収納し、コイルアッシー５の前端側からチューブアッシー９を挿通した後、カラー２０をストッパ１６の回りに配置し、ナット１９で締め込むことによって構成される。この際、外ケース３の前端面は、固定鉄心１０のフランジ部１０ｃ前端面と略同位置にあり、弁体Ｂの取り付け面に取り付けられる。
【００２２】
上記のように構成されたソレノイド１に、コイル７を励磁すると外ケース３・ヨーク８・固定鉄心１０・可動鉄心１２に磁束が発生し、磁気回路を形成するため、可動鉄心１２がパイプ１４内を摺動して固定鉄心１０に吸着する。同時に可動鉄心の前端部に配置された可動ピン１３が固定鉄心１０内を前方に移動することによって、可動ピン１３に接続された弁体Ｂ内のスプールが押圧されて移動し、油の流路を解放して油圧を移動させる。
【００２３】
そして、コイル７への励磁を解除すると、外ケース３・ヨーク８・固定鉄心１０・可動鉄心１２に形成していた磁束が消磁され磁気経路を消失する。それによって、可動鉄心１２は固定鉄心１０との吸着を解除され、図示しないばねによって復帰移動する。同時に可動ピン１３に接続されているスプールも復帰し、解放していた流路を閉じることによって油圧の移動を停止する。
【００２４】
従って、このソレノイド１は、ナット１９を締め付けてコイルアッシー５とチューブアッシー９とを固着させる際、カラー２０の弾性を利用してナット１９の緩み止めを行なうことができる。
【００２５】
なお、カラー２０は上記形態に限らず、図３に示すようなカラー４０であってもよい。カラー４０は円筒状に形成され、カラー４０の本体に、円周方向に沿って複数（本形態では２個）のスリット孔４１が２段で形成されている。このスリット孔４１は、カラー４０に前後方向の負荷がかかった時に、上下方向に弾性を有するように形成されている。従って、スリット孔４１は軸心に対して直角方向に均等な長さで形成され、さらに上下段のスリット孔４１が交互になるように配置されることが望ましい。
【００２６】
さらに、本発明のソレノイドは、コイルアッシーとチューブアッシーとをナットで固着するものであれば、上記に限らずプルタイプのソレノイドやコイルアッシーが樹脂成型されたものにおいても対応することができる。
【００２７】
【発明の効果】
本発明によれば、ソレノイドは、後端に後壁を有する磁性体の外ケースと、前記外ケース内に収納されボビンとコイルとを有する中空状のコイルアッシーと、固定鉄心と前記固定鉄心に対して接近離隔する可動鉄心とを有するとともに、前記コイルアッシーの前端面を支持し前記コイルアッシーを挿通するように配置されるチューブアッシーとを備えて構成されている。そして、前記固定鉄心が、前記可動鉄心の後方に配置されるとともに、前記外ケース及び前記コイルアッシーより後方に突出するねじ部を有し、前記ねじ部にナットが螺着されてコイルアッシーとチューブアッシーとを固着するように構成されている。そして、前記外ケースの後壁と前記ナットとの間に、軸心方向に弾性を有するカラーが配設されている。そのため、締め付けた後、使用中に振動が発生しても、カラーで振動を吸収できるのでナットの緩み止めに大いに役立つことができる。
【００２８】
また、カラーが薄肉の筒状で形成され、一方の端部あるいは両端部に外開きするような屈曲部が形成されていれば、プレス加工で製作でき廉価にできる。
【００２９】
さらに、カラーに、円周方向に沿ってスリット孔を形成すれば、上下方向に弾性を有するように構成されるので、振動を吸収することができる。
【図面の簡単な説明】
【図１】本発明の一形態によるソレノイドを示す断面図
【図２】図１におけるカラー示す斜視図
【図３】図２におけるカラーの別の形態を示す斜視図
【図４】従来のソレノイドを示す断面図
【符号の説明】
１…ソレノイド
３…外ケース
３ｂ…後壁
５…コイルアッシー
６…ボビン
７…コイル
９…チューブアッシー
１０…固定鉄心
１２…可動鉄心
１３…可動ピン
１４…パイプ
１６…ストッパ
１６ａ…雄ねじ部
１９…ナット
２０…カラー
２０ａ…端部
４０…カラー
４１…スリット孔
Ｂ…弁体
【図１】
0003766919.tif 000002
【図２】
0003766919.tif 000003
【図３】
0003766919.tif 000004
【図４】
0003766919.tif 000005